(57)【要約】【課題】  単独でも衝撃吸収性と意匠性に富む帽子としての使用が可能で、且つその帽子を内装として外側シェルに装着すればヘルメットとしての使用も可能な帽子、及び帽子を装着可能なヘルメットを提供する。【解決手段】  略球面三角形状の独立した空気室を有するクッション部を連綴して形成した半球状クラウンを備える。【選択図】  図１
2006124896.tif 000002
【特許請求の範囲】
【請求項１】
略球面三角形状の独立した空気室を有するクッション部を連綴して形成した半球状クラウンを備えたことを特徴とする帽子。
【請求項２】
前記クッション部は、２枚のシート材を溶着または縫着して形成されることを特徴とする請求項１記載の帽子。
【請求項３】
前記シート材のいずれか一方は、予め凸状に成型されており、前記溶着または縫着により空気室が形成されることを特徴とする請求項２記載の帽子。
【請求項４】
請求項１から３のいずれか一項記載の帽子からなる内装と、外側シェルと、前記内装及び外側シェルを着脱可能に固定する固定手段と、を有することを特徴とするヘルメット。
【発明の詳細な説明】
【技術分野】
【０００１】  本発明は、単独でも衝撃吸収性と意匠性に富む帽子としての利用が可能で、且つヘルメットの内装材として装着可能な帽子、及びその帽子を装着したヘルメットに関する。
【背景技術】
【０００２】  従来、様々な用途に供するヘルメットの安全性や取扱性を向上させるための各種提案がなされている。例えば、衝撃吸収性の優れた素材をライナーとして用いた野球用ヘルメット（例えば、特許文献１参照）や、内装材が汗や油性分等で汚れた場合に取り外して容易に洗濯できるようにしたヘルメット（例えば、特許文献２参照）などがある。【０００３】  ところで、ヘルメットの硬質樹脂性の外側シェルは、携帯性や収納性に劣るため、衝撃吸収性に対するニーズが比較的低い用途向けとして、布や軟質樹脂などで形成したクラウン部に衝撃吸収性を有する部材を付加した帽子なども従来各種提案されている（例えば、特許文献３参照）。しかし、これらの帽子では、高い衝撃吸収性が必要な場合には、帽子とは別にヘルメットを用意する必要があった。また、上記の帽子では、該帽子の上にヘルメットの外側シェルを重ねて装着することを想定した構造となっていなかった。【０００４】  一方、上記のヘルメット（例えば、特許文献２に開示されたヘルメットなど）では、内装材（またはライナーが一体化した内装材）を脱着することは可能であるが、内装材自体を単独で使用することはできなかった。【０００５】  内装材は、衝撃吸収性を有する素材で構成することが可能であり、従って、衝撃吸収性の高低の用途に応じて、例えば、高い衝撃吸収性が必要な場合はヘルメットの内装材として、また低い衝撃吸収性で十分な場合には単独で帽子として、両方の機能を兼用できることが好ましい。
【特許文献１】特開２００４−２９０６０４号公報（第４−７頁、第１図）
【特許文献２】特開２００１−１１５３２７号公報（第３−７頁、第１図）
【特許文献３】特開平１０−７２７１９号公報（第２−３頁、第１図）
【発明の開示】
【発明が解決しようとする課題】
【０００６】  そこで本発明は上記従来の課題に鑑みてなされたものであり、単独でも衝撃吸収性と意匠性に富む帽子としての使用が可能で、且つその帽子を内装として外側シェルに装着すればヘルメットとしての使用も可能な帽子、及び帽子を装着可能なヘルメットを提供することを目的とする。
【課題を解決するための手段】
【０００７】  上記課題を解決するため、本発明の帽子は、略球面三角形状の独立した空気室を有するクッション部を連綴して形成した半球状クラウンを備えたことを特徴とする。
上記構成によれば、帽子としての衝撃吸収性と意匠性に優れ、また、ヘルメットの内装として、外側シェルの内面に装着することもできる。【０００８】  また、本発明の帽子は、請求項１記載の帽子であって、前記クッション部は、２枚のシート材を溶着または縫着して形成されることを特徴とする。
上記構成によれば、衝撃吸収材としてのクッション部並びに帽子のクラウンの形成が容易に行えるので、製造コストの低減や製造工程の短縮化が図れる。【０００９】  また、本発明の帽子は、請求項２記載の帽子であって、前記シート材のいずれか一方は、予め凸状に成型されており、前記溶着または縫着により空気室が形成されることを特徴とする。
上記構成によれば、所定の容積を有する空気室を高い精度で形成することができる。また、凸状の成型形状を変化させて空気室の容積を変更することにより、帽子の外径寸法などを自在に変更することができる。【００１０】  また、本発明のヘルメットは、請求項１から３のいずれか一項記載の帽子からなる内装と、外側シェルと、前記内装及び外側シェルを着脱可能に固定する固定手段と、を有することを特徴とする。
上記構成によれば、帽子を用いた内装を外側シェルに装着した場合、帽子のクッション部がシェルの内面と面接触するため、固定しやすく、衝撃吸収性に優れたヘルメットを構成することができる。
【発明の効果】
【００１１】  以上のように、本発明の帽子及びヘルメットによれば、単独でも衝撃吸収性と意匠性に富む帽子として使用することができ、またその帽子を内装として外側シェルに装着すればヘルメットとして使用することもできる。
【発明を実施するための最良の形態】
【００１２】  以下、本発明の実施の形態における帽子及びヘルメットについて、図面を用いて詳細に説明する。尚、実施の形態を説明するための全図において、同一機能を有するものは同一符号を付与し、説明は繰り返さないこととする。【００１３】  図１は、本発明の実施の形態における帽子の外観を示す図である。帽子１００は、主に、クッション部１０、クラウン部２０、鍔部３０、で構成される。【００１４】  図２は、クッション部１０の詳細な構造を示す図である。略球面三角形状に形成されたクッション部１０は、布または合成樹脂等で生成された内側シート１１と、合成樹脂やゴム等で生成された外側シート１２とで構成され、外側シート１２と空気室１３内の空気による弾力性で衝撃吸収材としての機能を発揮する。【００１５】  図２（ａ）や（ｂ）に示すように、内側シート１１は、後述するクラウン部２０が形成する半球形状に沿う曲率で湾曲している。また外側シート１２は、中央部が略球面三角形の凸状に盛り上がるように予め成型されており、周囲の縁部分を溶着または縫着して内側シートとの間で適切な容積の空気室を形成する。このクッション部１０は、略均等に分割されたクラウン部２０上に溶着、逢着または接着される。【００１６】  クラウン部２０は、装着時に頭部を覆う半球状のクラウンを構成するもので、布または合成樹脂等で生成された略球面三角形状の複数のシート２１を溶着または縫着して形成される。尚、クラウン部２０を構成するシート２１と、クッション部１０の内側シート１１を同一のシートとすれば、両者を一体化することができ、製造コストの低減や製造工程の短縮化が図れるので好ましい。【００１７】  鍔部３０は、帽子の庇となるもので、布、紙、合成樹脂等の素材で形成される。【００１８】  ところで、帽子のクッション部１０は、外側シート１２を透明な軟質ビニール樹脂などで構成して内側シート１１の空気室側表面に着色や装飾を施したり、外側シート１２に着色を施したりすれば、意匠性にも優れた帽子とすることができる。【００１９】  尚、帽子の頭頂部などには、帽子装着者の頭の蒸れ等を防止するための孔を設けてもよい。【００２０】  次に、図３は、本発明の実施の形態におけるヘルメットの外観を示す図である。ヘルメット２００は、主に、外側シェル４０と、ヘルメットの内装となる上記の帽子１００、外側シェル４０と帽子１００を固定するベルクロテープ５０、などで構成される。【００２１】  外側シェル４０は、高剛性と耐衝撃性を有する繊維強化型硬質樹脂などで形成され、ヘルメットの外形を構成する。外側シェル４０の内面には、適切な配置と本数のベルクロテープ５０が貼付されている。また、外側シェル４０の側面下部には、装着時に締める顎紐４１が連接されている。【００２２】  帽子１００は、そのまま外側シェル４０の内側に装着されてヘルメットの内装として用いる。帽子１００表面の、外側シェル４０内面に貼付されたベルクロテープ５０と対応する位置には、対となるベルクロテープ５０が予め貼付されている。【００２３】  ベルクロテープ５０は、外側シェル４０と帽子１００を的確に固定する固定手段としての機能を有する。外側シェル４０の内面と帽子１００のクッション部１０の外側シート１２の表面の対となる位置に貼付され、双方が接触することにより外側シェルと帽子が固定される。ベルクロテープの貼付位置や長さ、本数などは、図に示す位置に限定されるものではなく、外側シェル４０と帽子１００が的確に固定されるものであればどのような配置でもかまわない。【００２４】  また、帽子とヘルメットの外側シェルとの固定手段は、上記のベルクロテープに限定されるものではなく、双方が的確に固定されるものであればどのようなものでもかまわない。【００２５】  尚、本発明の帽子１００は、ヘルメットの内装として装着される場合、クッション部１０の外側シート１２とヘルメットの外側シェル４０の内面とが面接触し、且つ接触面性が大きいため、摩擦力が大きく、上記のベルクロテープのような簡易固定でも十分な固定強度が得られるという利点がある。従って、別の固定手段として、例えば、クッション部１０の外側シート１２表面とヘルメットの外側シェル４０の内面に、摩擦力の大きなシリコンゴム系の塗料等を塗布して皮膜を形成させておき、装着により接触させるようにするという手法なども考えられる。【００２６】  本発明のヘルメットでは、内装としての帽子１００が、あらゆる形状や大きさの外側シェルに対して装着可能であるため、内装を装着するために外側シェルに大規模な固定具を付加したり、形状的細工を施したりする必要がないという利点がある。【００２７】  特に、帽子１００の外側シート１２の成型深さを変化させることにより、帽子の外径寸法を変更できるので、外側シェルの大きさに合わせた内装（即ち、帽子）を容易に製造することができる。また、帽子自体を空気室の空気が出し入れできる構成とすれば、空気室の空気量を調整することにより帽子の外径寸法を容易に変更できるので、外側シェルの大きさに合わせて内装の大きさを自在に調整することもできる。
【産業上の利用可能性】
【００２８】  本発明にかかわる帽子及びヘルメットは、単独でも衝撃吸収性と意匠性に富む帽子として使用することができ、またその帽子を内装として外側シェルに装着すればヘルメットとして使用することもできるという効果を有し、状況に応じて帽子とヘルメットの使い分けを行いたい場合において有用である。
【図面の簡単な説明】
【００２９】
【図１】  本発明の実施の形態における帽子の外観を示す図
【図２】  クッション部の詳細な構造を示す図
【図３】  本発明の実施の形態におけるヘルメットの外観を示す図
【符号の説明】
【００３０】  １０  クッション部
１１  内側シート
１２  外側シート
１３  空気室
２０  クラウン部
２１  クラウン部シート
３０  鍔部
４０  外側シェル
４１  顎紐
５０  ベルクロテープ
１００  帽子
２００  ヘルメット
【図１】
2006124896.tif 000003
【図２】
2006124896.tif 000004
【図３】
2006124896.tif 000005